(57)【特許請求の範囲】
【請求項１】
固定側部材に張設される膜体と、この膜体の表面に沿って設けられる可撓性板形状の太陽電池と、この太陽電池を上記膜体に取り付ける取付具とを備えた膜体への太陽電池取付構造において、
上記取付具が、上記太陽電池の外縁部に沿って延び、その幅方向の一端縁部が上記膜体に固着される帯形状の第１取付膜体と、上記太陽電池の上記外縁部に沿って延び、その幅方向の一端縁部が上記太陽電池の上記外縁部に固着される帯形状の第２取付膜体と、これら第１、第２取付膜体に沿って延び、これら第１、第２取付膜体に対するその長手方向への相対移動により、これら第１、第２取付膜体の各他端縁部同士を係止させる係止体とを有し、
上記係止体が、上記第１、第２取付膜体に沿って延びる平坦面を有する棒材と、上記第１、第２取付膜体の各他端縁部にそれぞれ形成される厚肉部とを有し、
上記平坦面に形成された断面がＣ字凹形状をなす一対の係止溝に、前記厚肉部がそれぞれ係止し、上記膜体の表面と上記平坦面とが互いに近接していることを特徴とする膜体への太陽電池取付構造。
【請求項２】
上記太陽電池の上記外縁部が水平方向に延びることを特徴とする請求項１に記載の膜体への太陽電池取付構造。
【請求項３】
上記棒材の外面のうち、上記一つの平坦面を挟む二つの他の平坦面と、上記平坦面とがなす各交角をそれぞれ鋭角にしたことを特徴とする請求項１又は２に記載の膜体への太陽電池取付構造。
【請求項４】
上記膜体の表面に沿って並設される両太陽電池の互いに対向する外縁部同士を連結する連結具を設け、この連結具が、上記各太陽電池の外縁部にそれぞれ一端縁部が固着される上記第２取付膜体と、これら両第２取付膜体の各他端縁部を係止させる他の係止体とを有したことを特徴とする請求項１から３のいずれか１つに記載の膜体への太陽電池取付構造。
【発明の詳細な説明】
【技術分野】
【０００１】
本発明は、建物など固定側部材に張設される膜体に対し可撓性板形状の太陽電池を容易に、かつ、強固に取り付けるようにするための膜体への太陽電池取付構造に関するものである。
【背景技術】
【０００２】
上記膜体への太陽電池取付構造には、従来、下記特許文献１に示されるものがある。
【０００３】
上記公報のものによれば、上記太陽電池取付構造は、固定側部材に張設される膜体と、この膜体の表面に沿って設けられる可撓性板形状の太陽電池と、この太陽電池を上記膜体に取り付ける取付具とを備えている。
【０００４】
そして、上記取付具には、脱着作業が簡易にできるキャンプ用テントに用いられているようなジッパーファスナーや、ワンタッチでできる面ファスナーが採用されており、このため、上記膜体に太陽電池を取り付ける取付作業が容易にできることとされている。
【先行技術文献】
【特許文献】
【０００５】
【特許文献１】特開２０１１−２５３９１７号公報
【発明の概要】
【発明が解決しようとする課題】
【０００６】
ところで、通常、上記膜体には、この膜体の自重に加え、上記太陽電池の質量や風圧によりその面方向に大きい引張力が与えられる。このため、この大きい引張力の少なくとも一部が上記取付具にも与えられがちとなる。そして、この場合、上記取付具は前記した面ファスナーであって、前記したように膜体への太陽電池の取付作業を容易にさせるものであるが、その反面、上記した大きい引張力によって、上記取付具による膜体への太陽電池の取り付けが不意に解除されるおそれがある。
【課題を解決するための手段】
【０００７】
本発明は、上記のような事情に注目してなされたもので、本発明の目的は、膜体に対し取付具により太陽電池を取り付けるようにした場合に、上記膜体への太陽電池の取付作業が容易にできるものでありながら、上記膜体への太陽電池の取り付けが強固にできるようにすることである。
【０００８】
請求項１の発明は、固定側部材３に張設される膜体４と、この膜体４の表面に沿って設けられる可撓性板形状の太陽電池１０と、この太陽電池１０を上記膜体４に取り付ける取付具１１とを備えた膜体への太陽電池取付構造において、
上記取付具１１が、上記太陽電池１０の外縁部に沿って延び、その幅方向の一端縁部１５ａが上記膜体４に固着される帯形状の第１取付膜体１５と、上記太陽電池１０の上記外縁部に沿って延び、その幅方向の一端縁部１６ａが上記太陽電池１０の上記外縁部に固着される帯形状の第２取付膜体１６と、これら第１、第２取付膜体１５，１６に沿って延び、これら第１、第２取付膜体１５，１６に対するその長手方向への相対移動により、これら第１、第２取付膜体１５，１６の各他端縁部１５ｂ，１６ｂ同士を係止させる係止体１７とを有し、上記係止体１７が、上記第１、第２取付膜体１５，１６に沿って延びる平坦面２５ａを有する棒材１９と、上記第１、第２取付膜体１５，１６の各他端縁部１５ｂ，１６ｂにそれぞれ形成される厚肉部２１とを有し、上記平坦面２５ａに形成された断面がＣ字凹形状をなす一対の係止溝２０，２０に、前記厚肉部２１がそれぞれ係止し、上記膜体の表面と上記平坦面２５ａとが互いに近接していることを特徴とする膜体への太陽電池取付構造である。
【０００９】
請求項２の発明は、上記太陽電池１０の上記外縁部が水平方向に延びることを特徴とする請求項１に記載の膜体への太陽電池取付構造である。
【００１０】
請求項３の発明は、上記棒材１９の外面２５のうち、上記一つの平坦面２５ａを挟む二つの他の平坦面２５ｃ，２５ｃと、上記平坦面２５ａとがなす各交角θをそれぞれ鋭角にしたことを特徴とする請求項１又は２に記載の膜体への太陽電池取付構造である。
【００１１】
請求項４の発明は、上記膜体４の表面に沿って並設される両太陽電池１０，１０の互いに対向する外縁部同士を連結する連結具１２を設け、この連結具１２が、上記各太陽電池１０の外縁部にそれぞれ一端縁部１６ａが固着される上記第２取付膜体１６と、これら両第２取付膜体１６，１６の各他端縁部１６ｂを係止させる他の係止体２７とを有したことを特徴とする請求項１から３のいずれか１つに記載の膜体への太陽電池取付構造である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、固定側部材に張設される膜体と、この膜体の表面に沿って設けられる可撓性板形状の太陽電池と、この太陽電池を上記膜体４に取り付ける取付具とを備えた膜体への太陽電池取付構造において、
上記取付具が、上記太陽電池の外縁部に沿って延び、その幅方向の一端縁部が上記膜体に固着される帯形状の第１取付膜体と、上記太陽電池の上記外縁部に沿って延び、その幅方向の一端縁部が上記太陽電池の上記外縁部に固着される帯形状の第２取付膜体と、これら第１、第２取付膜体に沿って延び、これら第１、第２取付膜体に対するその長手方向への相対移動により、これら第１、第２取付膜体の各他端縁部同士を係止させる係止体とを有し、上記係止体が、上記第１、第２取付膜体に沿って延びる平坦面を有する棒材と、上記第１、第２取付膜体の各他端縁部にそれぞれ形成される厚肉部とを有し、上記平坦面に形成された断面がＣ字凹形状をなす一対の係止溝に、前記厚肉部がそれぞれ係止し、上記膜体の表面と上記平坦面とが互いに近接している。
【００１５】
このため、上記固定側部材に張設される膜体に対し太陽電池を取り付ける取付作業をする場合には、まず、上記膜体に第１取付膜体を固着する一方、上記太陽電池に第２取付膜体を固着する。次に、上記第１、第２取付膜体に対しその長手方向へ上記取付具が有する係止体を相対移動させ、この係止体により、上記第１、第２取付膜体の各他端縁部同士を係止させる。すると、上記膜体への太陽電池の取付作業を終えることができる。
【００１６】
そして、上記した膜体への第１取付膜体の固着や太陽電池への第２取付膜体の固着のように作業が煩雑なものについては工場など作業性の良いところですればよい。一方、上記第１、第２取付膜体同士の係止体による係止作業は、この係止体を上記したように相対移動させるという単純な作業によってできる。このため、上記係止作業は現場作業など作業性の悪いところであっても容易にできる。よって、上記発明によれば、膜体への太陽電池の取付作業が容易にできる。
【００１７】
また、上記したように、第１、第２取付膜体の各他端縁部同士の上記係止体による係止は、上記第１、第２取付膜体に対するその長手方向への上記係止体の相対移動により達成される。このため、この係止体により上記第１、第２取付膜体同士が係止されたときには、上記係止体は、この係止体に直交する方向に作用する外力に対し、上記係止状態を保持するよう強固に対抗する。
【００１８】
ここで、通常、上記膜体には、この膜体の自重に加え、上記太陽電池の質量や風圧によりその面方向に大きい引張力が与えられる。このため、この大きい引張力の少なくとも一部は上記取付具にも与えられがちとなる。そして、このように取付具に与えられようとする引張力は、主にこの取付具が有する係止体に直交する方向に外力として作用する。よって、前記したこの方向の外力に強固に対抗する取付具により、上記膜体への太陽電池の取り付けは強固なものにできる。
【００１９】
上記取付具の係止体の棒材と係止溝とは押出成形によって容易に形成できる。よって、上記取付具を用いての膜体への太陽電池の取り付けは、簡単な構成で安価に達成できる。
【００２０】
しかも、上記取付具が有する係止体に形成された各係止溝の開口は上記膜体によって塞がれることから、上記各係止溝が外観上容易に見えることは防止される。よって、上記膜体、太陽電池、および取付具で構成される組み立て体の見栄えが良好に維持されると共に、上記各係止溝への雨水などの水入りが抑制される。
【００２１】
請求項２の発明は、上記太陽電池の上記外縁部が水平方向に延びている。
【００２２】
このため、上記太陽電池の上記外縁部が水平方向に延びることに従い、上記取付具の第１、第２取付膜体も水平方向に延びることから、これら第１、第２取付膜体同士の上記取付具の係止体による係止は、上記第１、第２取付膜体に対し上記係止体を水平方向に相対移動させることにより達成される。
【００２３】
よって、仮に、縦方向に延びた膜体に対し上記太陽電池の取付作業をしようとする場合に、上記したように、第１、第２取付膜体を、これらに対し水平方向に相対移動する係止体により係止させた場合には、上記太陽電池の自重は上記取付具が有する係止体に直交する方向に作用することとなって、この係止体により太陽電池の自重は強固に安定して支持される。このため、上記膜体への太陽電池の取付作業が、より容易にできる。
【００２４】
請求項３の発明は、上記棒材の外面のうち、上記一つの平坦面を挟む二つの他の平坦面と、上記平坦面とがなす各交角をそれぞれ鋭角にしている。
【００２５】
ここで、前記したように、膜体に対し上記取付具により太陽電池を取り付けた場合には、上記取付具が有する係止体の棒材は上記膜体の表面から外方に突出する。
【００２６】
しかし、上記発明によれば、上記棒材の外面のうち、膜体に近接する平坦面と、この平坦面を挟む他の平坦面とがなす交角を鋭角としたため、この交角を直角以上にすることに比べて、上記膜体、太陽電池、および取付具で構成される組み立て体の表面を、より滑らかにすることができる。よって、その分、上記組み立て体の表面の水切りを良好にさせることができると共に、風切り音の発生を抑制できる。
【００２７】
請求項４の発明は、上記膜体の表面に沿って並設される両太陽電池の互いに対向する外縁部同士を連結する連結具を設け、この連結具が、上記各太陽電池の外縁部にそれぞれ一端縁部が固着される上記第２取付膜体と、これら両第２取付膜体の各他端縁部を係止させる他の係止体とを有している。
【００２８】
このため、上記膜体の表面に沿って複数の太陽電池を並設させ、これらを上記連結具で連結させる場合において、この連結具は前記取付具の構成部品である第２取付膜体や、この第２取付膜体の厚肉部を係止させる係止溝が形成された上記棒材を利用することができる。よって、上記取付具と連結具との間で部品の共通化ができることから、その分、上記取付具や連結具を用いての膜体への複数の太陽電池の取り付けは、簡単な構成で安価に達成できる。
【図面の簡単な説明】
【００２９】
【図１】図３の一部分の拡大断面部分詳細図である。
【図２】テント式建物の斜視図である。
【図３】図２のIII−III線矢視断面部分詳細図である。
【図４】図３の他部分の拡大断面部分詳細図である。
【発明を実施するための形態】
【００３０】
本発明の膜体への太陽電池取付構造に関し、膜体に対し取付具により太陽電池を取り付けるようにした場合に、上記膜体への太陽電池の取付作業が容易にできるものでありながら、上記膜体への太陽電池の取り付けが強固にできるようにする、という目的を実現するため、本発明を実施するための形態は、次の如くである。
【００３１】
即ち、膜体への太陽電池取付構造は、固定側部材に張設される膜体と、この膜体の表面に沿って設けられる可撓性板形状の太陽電池と、この太陽電池を上記膜体に取り付ける取付具とを備える。上記取付具は、上記太陽電池の外縁部に沿って延び、その幅方向の一端縁部が上記膜体に固着される帯形状の第１取付膜体と、上記太陽電池の上記外縁部に沿って延び、その幅方向の一端縁部が上記太陽電池の上記外縁部に固着される帯形状の第２取付膜体と、これら第１、第２取付膜体に沿って延び、これら第１、第２取付膜体に対するその長手方向への相対移動により、これら第１、第２取付膜体の各他端縁部同士を係止させる係止体とを有し、上記係止体が、上記第１、第２取付膜体に沿って延びる平坦面を有する棒材と、上記第１、第２取付膜体の各他端縁部にそれぞれ形成される厚肉部とを有し、上記平坦面に形成された断面がＣ字凹形状をなす一対の係止溝に、前記厚肉部がそれぞれ係止し、上記膜体の表面と上記平坦面とが互いに近接している。
【実施例】
【００３２】
本発明をより詳細に説明するために、その実施例を添付の図に従って説明する。
【００３３】
図において、符号１はテント式建物であり、この建物１は地面２上に立設される建物フレームで例示される固定側部材３と、この固定側部材３に張設される膜体４とを備えている。なお、説明の便宜上、ある水平な一方向を前後方向Ａと、この前後方向Ａに水平方向で直交する方向を直交方向Ｂとする。
【００３４】
上記建物１における屋根６は、上記膜体４のうち、固定側部材３の上部をその上方から覆ってこの固定側部材３の上部に張設される横向き膜体４ａにより形成される。また、上記建物１において、縦方向に延びる壁７は、上記膜体４のうち、固定側部材３の前後方向Ａにおける端部をその外方から覆ってこの固定側部材３の端部に張設される縦向き膜体４ｂにより形成されている。上記屋根６は、上記前後方向Ａに沿った視線で見て上方に凸の円弧形状をなし、全体としてかまぼこ形状をなしている。
【００３５】
上記膜体４の横向き膜体４ａと縦向き膜体４ｂとの各表面に沿ってそれぞれ可撓性板形状の太陽電池１０が設けられ、これら各太陽電池１０は上記膜体４に取付具１１により強固に取り付けられる。また、上記膜体４の横向き膜体４ａの表面（上面）上には複数（一対）の太陽電池１０，１０が前後方向Ａに並設され、これら両太陽電池１０，１０の互いに対向する外縁部同士を強固に連結する連結具１２が設けられている。
【００３６】
上記膜体４は、ケナフ繊維等の天然繊維、ポリエステル繊維等の合成繊維、もしくはガラス繊維等の無機繊維等により形成される織物である基材と、この基材の表裏の各外面に被覆（コーティング）されるポリ塩化ビニル（ＰＶＣ）やフッ素樹脂など熱可塑性樹脂材製の外面材（コーティング材）とを備えている。なお、上記膜体４の外面材は、少なくとも熱により溶着する部分の外面がポリ塩化ビニルやフッ素樹脂等の熱可塑性樹脂であればよく、その他の部分の外面には、汚れ防止のための光触媒層等を設けていてもよいし、もしくは、上記熱可塑性樹脂に光触媒粒子を含有させることにより光触媒層としてもよい。
【００３７】
上記各太陽電池１０はそれぞれ上記直交方向Ｂに長く延びる長方形をなし、互いに同形同大とされている。これら各太陽電池１０は、詳図しないが、その表面で太陽光を受光してその光エネルギーを電気エネルギーに変換する太陽電池素子と、この太陽電池素子を全体的に覆ってこの太陽電池素子の外面に固着される表面材と、上記太陽電池素子の電気エネルギーを集めて外部に出力する端子ボックスとを備えている。上記太陽電池１０の表面材は、フッ素樹脂など熱可塑性樹脂材製の透明なフィルムとされ、例えば、ポリエチレンテレフタレート（ＰＥＴ）や、テトラフルオロエチレン-エチレン共重合体（ＥＴＦＥ）等により形成される。
【００３８】
上記取付具１１は、上記横向き膜体４ａにおける太陽電池１０群の前後方向Ａでの各外縁部、および縦向き膜体４ｂにおける太陽電池１０の上下方向Ｃでの各外縁部に沿って延び、その幅方向の一端縁部１５ａが上記膜体４の表面に固着される帯形状の第１取付膜体１５と、上記太陽電池１０の上記各外縁部に沿って延び、その幅方向の一端縁部１６ａが上記太陽電池１０の上記各外縁部に固着される帯形状の第２取付膜体１６と、上記第１、第２取付膜体１５，１６に沿って延び、これら第１、第２取付膜体１５，１６に対するその長手方向（直交方向Ｂ）への相対移動により、これら第１、第２取付膜体１５，１６の各他端縁部１５ｂ，１６ｂ同士をその長手方向の全体にわたり係脱可能に係止させる係止体１７とを有している。
【００３９】
上記の場合、各取付膜体１５，１６は、上記膜体４と同様の材質であるが、上記太陽電池１０の上記外縁部に固着される帯形状の第２取付膜体１６については、上記太陽電池１０の表面材と同様の材質としてもよい。このようにすれば、太陽電池１０と第２取付膜体１６との固着は溶着により可能となる。また、上記固着とは、溶着によることが好ましいが、接着や縫合によってもよく、これらの組み合わせであってもよい。
【００４０】
上記係止体１７は、上記第１、第２取付膜体１５，１６に沿って延びる棒材１９と、この棒材１９の長手方向に沿って形成され、この長手方向の各部断面がそれぞれＣ字凹形状をなす一対の係止溝２０，２０と、上記第１、第２取付膜体１５，１６の各他端縁部１５ｂ，１６ｂにそれぞれ形成され、上記各係止溝２０にその長手方向の端部からの挿入により係止される厚肉部２１と、この厚肉部２１を上記棒材１９に固着させるねじ２２とを有している。上記係止体１７の長手方向の各部断面は互いに同形同大とされている。
【００４１】
上記棒材１９はアルミ合金など軽金属製とされている。なお、上記棒材１９は樹脂製であってもよい。また、上記厚肉部２１は、上記第１、第２取付膜体１５，１６の各他端縁部１５ｂ，１６ｂを袋縫いとして、その内部に金属や樹脂製の棒やパイプ、またはロープや棒状ゴム等の可撓性長尺体２３を挿入することにより形成されている。
【００４２】
上記棒材１９の外面２５は、その長手方向の各部断面で見て全体的に左右対称の台形状をなしている。この棒材１９の外面２５は、その底辺に相当する一つの平坦面２５ａと、この平坦面２５ａと対辺をなし、わずかに凹む円弧凹面２５ｂと、これら平坦面２５ａおよび円弧凹面２５ｂを挟む一対の他の平坦面２５ｃ，２５ｃとで形成される。そして、上記平坦面２５ａと各他の平坦面２５ｃとがなす各交角θはそれぞれ鋭角（略６０°）とされているが、その角度は、２０°〜８０°とすることが好ましい。
【００４３】
上記棒材１９の外面２５のうち、上記平坦面２５ａに上記各係止溝２０が形成されている。そして、上記膜体４の表面と上記棒材１９の外面２５のうちの平坦面２５ａとが互いに近接（当接、圧接含む）させられている。
【００４４】
図１〜３において、前記連結具１２は、上記前後方向Ａで、両太陽電池１０が互いに対向する外縁部にそれぞれ幅方向の各一端縁部１６ａが固着される一対の上記第２取付膜体１６と、これら両第２取付膜体１６，１６に沿って延び、これら両第２取付膜体１６，１６に対するその長手方向への相対移動により、これら両第２取付膜体１６，１６の各他端縁部１６ｂ，１６ｂ同士を係脱可能に係止させる他の係止体２７とを有している。
【００４５】
上記他の係止体２７は、上記両第２取付膜体１６，１６に沿って延び、それぞれ一対の上記係止溝２０，２０が形成された一対の前記棒材１９，１９と、上記両第２取付膜体１６，１６に沿って延びる帯形状をなし、その幅方向の各端縁部にそれぞれ前記厚肉部２１が形成された連結膜体２８とを有している。そして、上記他の係止体２７の各棒材１９のそれぞれ両係止溝２０，２０のうち、一方の係止溝２０に上記各第２取付膜体１６の他端縁部１６ｂの厚肉部２１がそれぞれ係止され、他方の係止溝２０に上記連結膜体２８の各端縁部の厚肉部２１がそれぞれ係止されている。
【００４６】
なお、上記連結膜体２８は、上記膜体４と同様の材質である。また、上記他の係止体２７は、単一の棒材１９を有して、この棒材１９の各係止溝２０に上記各第２取付膜体１６の他端縁部１６ｂを係止させたものとし、上記連結膜体２８を不要としたものであってもよい。
【００４７】
上記固定側部材３に張設される膜体４に対し太陽電池１０を取り付ける取付作業につき簡説すると、第１例として、まず、工場において、膜体４に対し取付具１１と連結具１２とにより各太陽電池１０を取り付ける。次に、これら４，１０〜１２の組み合わせ体を上記固定側部材３に取り付ける。すると、上記各太陽電池１０の取付作業が終る。
【００４８】
また、第２例として、まず、工場において、膜体４に対し取付具１１の第１取付膜体１５を固着する一方、太陽電池１０に対し取付具１１の第２取付膜体１６を固着する。次に、上記膜体４と取付具１１の第１取付膜体１５との組み合わせ体を上記固定側部材３に取り付ける。次に、上記取付具１１の第１取付膜体１５に対し取付具１１の第２取付膜体１６と係止体１７とを用いることにより、上記膜体４に各太陽電池１０を取り付ける。また、これと共に上記連結具１２により両太陽電池１０，１０同士を連結する。すると、これら太陽電池１０の取付作業が終る。
【００４９】
また、第３例として、まず、膜体４を固定側部材３に取り付けて建物１を形成する。次に、後付けとして、上記膜体４の表面に対し上記取付具１１と連結具１２とにより上記各太陽電池１０を取り付ける。すると、これら太陽電池１０の取付作業が終る。
【００５０】
上記構成によれば、上記取付具１１が、上記太陽電池１０の外縁部に沿って延び、その幅方向の一端縁部１５ａが上記膜体４に固着される帯形状の第１取付膜体１５と、上記太陽電池１０の上記外縁部に沿って延び、その幅方向の一端縁部１６ａが上記太陽電池１０の上記外縁部に固着される帯形状の第２取付膜体１６と、これら第１、第２取付膜体１５，１６に沿って延び、これら第１、第２取付膜体１５，１６に対するその長手方向への相対移動により、これら第１、第２取付膜体１５，１６の各他端縁部１５ｂ，１６ｂ同士を係止させる係止体１７とを有している。
【００５１】
このため、上記固定側部材３に張設される膜体４に対し太陽電池１０を取り付ける取付作業をする場合には、まず、上記膜体４に第１取付膜体１５を固着する一方、上記太陽電池１０に第２取付膜体１６を固着する。次に、上記第１、第２取付膜体１５，１６に対しその長手方向へ上記取付具１１が有する係止体１７を相対移動させ、この係止体１７により、上記第１、第２取付膜体１５，１６の各他端縁部１５ｂ，１６ｂ同士を係止させる。すると、上記膜体４への太陽電池１０の取付作業を終えることができる。
【００５２】
そして、上記した膜体４への第１取付膜体１５の固着や太陽電池１０への第２取付膜体１６の固着のように作業が煩雑なものについては工場など作業性の良いところですればよい。一方、上記第１、第２取付膜体１５，１６同士の係止体１７による係止作業は、締結や接着に比べ、この係止体１７を上記したように相対移動させるという単純な作業によってできる。このため、上記係止作業は現場作業など作業性の悪いところであっても容易にできる。よって、上記構成によれば、膜体４への太陽電池１０の取付作業が容易にできる。
【００５３】
また、上記の場合、第１、第２取付膜体１５，１６は、上記取付具１１の係止体１７により係脱可能に係止される。
【００５４】
このため、上記係止体１７により係脱作業をすれば、上記膜体４に既に取り付けられていた太陽電池１０を取り外して修理したり、新しいものなど他の太陽電池１０に交換したりすることが容易にできて有益である。
【００５５】
また、上記したように、第１、第２取付膜体１５，１の各他端縁部１５ｂ，１６ｂ同士の上記係止体１７による係止は、上記第１、第２取付膜体１５，１６に対するその長手方向への上記係止体１７の相対移動により達成される。このため、この係止体１７により上記第１、第２取付膜体１５，１６同士が係止されたときには、上記係止体１７は、この係止体１７に直交する方向に作用する外力に対し、上記係止状態を保持するよう強固に対抗する。
【００５６】
ここで、通常、上記膜体４には、この膜体４の自重に加え、上記太陽電池１０の質量や風圧によりその面方向に大きい引張力が与えられる。このため、この大きい引張力の少なくとも一部は上記取付具１１にも与えられがちとなる。そして、このように取付具１１に与えられようとする引張力は、主にこの取付具１１が有する係止体１７に直交する方向に外力として作用する。よって、前記したこの方向の外力に強固に対抗する取付具１１により、上記膜体４への太陽電池１０の取り付けは強固なものにできる。
【００５７】
また、前記したように、太陽電池１０の上記外縁部が水平方向に延びている。
【００５８】
このため、上記太陽電池１０の上記外縁部が水平方向に延びることに従い、上記取付具１１の第１、第２取付膜体１５，１６も水平方向に延びることから、これら第１、第２取付膜体１５，１６同士の上記取付具１１の係止体１７による係止は、上記第１、第２取付膜体１５，１６に対し上記係止体１７を水平方向に相対移動させることにより達成される。
【００５９】
よって、仮に、縦方向に延びた膜体４の縦向き膜体４ｂに対し上記太陽電池１０の取付作業をしようとする場合に、上記したように、第１、第２取付膜体１５，１６を、これら１５，１６に対し水平方向に相対移動する係止体１７により係止させた場合には、上記太陽電池１０の自重は上記取付具１１が有する係止体１７に直交する方向に作用することとなって、この係止体１７により太陽電池１０の自重は強固に安定して支持される。このため、上記膜体４に対するその後の太陽電池１０の取付作業が、より容易にできる。
【００６０】
また、前記したように、係止体１７が、上記第１、第２取付膜体１５，１６に沿って延びる棒材１９と、この棒材１９にその長手方向に沿って形成され、この長手方向の各部断面がそれぞれＣ字凹形状をなす一対の係止溝２０，２０と、上記第１、第２取付膜体１５，１６の各他端縁部１５ｂ，１６ｂにそれぞれ形成され、上記各係止溝２０に係止される厚肉部２１とを有している。
【００６１】
このため、上記取付具１１の係止体１７の棒材１９と係止溝２０とは押出成形によって容易に形成できる。よって、上記取付具１１を用いての膜体４への太陽電池１０の取り付けは、簡単な構成で安価に達成できる。
【００６２】
また、前記したように、棒材１９の外面２５のうち、この棒材１９の断面で見た一つの平坦面２５ａに上記各係止溝２０をそれぞれ形成し、上記膜体４の表面と上記棒材１９の外面２５の平坦面２５ａとを互いに近接させている。
【００６３】
このため、上記取付具１１や連結具１２が有する各係止体１７に形成された各係止溝２０の開口は上記膜体４によって塞がれることから、上記各係止溝２０が外観上容易に見えることは防止される。よって、上記膜体４、太陽電池１０、取付具１１、および連結具１２で構成される組み立て体の見栄えが良好に維持されると共に、上記各係止溝２０への雨水などの水入りが抑制される。
【００６４】
また、前記したように、棒材１９の外面２５のうち、上記一つの平坦面２５ａを挟む二つの他の平坦面２５ｃ，２５ｃと、上記平坦面２５ａとがなす各交角θをそれぞれ鋭角にしている。
【００６５】
ここで、前記したように、膜体４に対し上記取付具１１や連結具１２により複数の太陽電池１０を取り付けた場合には、上記取付具１１や連結具１２が有する係止体１７の棒材１９は上記膜体４の表面から外方に突出する。
【００６６】
しかし、上記構成によれば、上記棒材１９の外面２５のうち、膜体４に近接する平坦面２５ａと、この平坦面２５ａを挟む他の平坦面２５ｃ，２５ｃとがなす交角θを鋭角としたため、この交角θを直角以上にすることに比べて、上記膜体４、太陽電池１０、取付具１１、および連結具１２で構成される組み立て体の表面を、より滑らかにすることができる。よって、その分、上記組み立て体の表面の水切りを良好にさせることができると共に、風切り音の発生を抑制できる。
【００６７】
また、前記したように、膜体４の表面に沿って並設される両太陽電池１０，１０の互いに対向する外縁部同士を連結する連結具１２を設け、この連結具１２が、上記各太陽電池１０の外縁部にそれぞれ一端縁部１６ａが固着される上記第２取付膜体１６と、これら両第２取付膜体１６，１６の各他端縁部１６ｂを係止させる他の係止体２７とを有している。
【００６８】
このため、上記膜体４の表面に沿って複数の太陽電池１０，１０を並設させ、これらを上記連結具１２で連結させる場合において、この連結具１２は前記取付具１１の構成部品である第２取付膜体１６や、この第２取付膜体１６の厚肉部２１を係止させる係止溝２０，２０が形成された上記棒材１９を利用することができる。よって、上記取付具１１と連結具１２との間で部品の共通化ができることから、その分、上記取付具１１や連結具１２を用いての膜体４への複数の太陽電池１０の取り付けは、簡単な構成で安価に達成できる。
【符号の説明】
【００６９】
３    固定側部材
４    膜体
４ａ    横向き膜体
４ｂ    縦向き膜体
１０    太陽電池
１１    取付具
１２    連結具
１５    第１取付膜体
１５ａ  一端縁部
１５ｂ  他端縁部
１６    第２取付膜体
１６ａ  一端縁部
１６ｂ  他端縁部
１７  係止体
１９  棒材
２０  係止溝
２１  厚肉部
２５  外面
２５ａ  平坦面
２５ｂ  円弧凹面
２５ｃ  他の平坦面
２７  他の係止体
２８  連結膜体
Ａ    前後方向
Ｂ    直交方向
Ｃ    上下方向
θ    交角
【図１】
0006002442.tif 000002
【図２】
0006002442.tif 000003
【図３】
0006002442.tif 000004
【図４】
0006002442.tif 000005